(57)【要約】【課題】構造が簡単で部品点数も少なく、小形化が容易な風呂水給水装置及び洗濯機を提供することを目的とする。【解決手段】上記目的は、モータケーシング２に離脱可能に取り付けられた歯車ポンプケーシング３と、モータケーシング２に収納されたモータ５と、歯車ポンプケーシング３に収納されてモータ５で回転する駆動歯車７及び従動歯車８と、歯車ポンプケーシング３に設けた風呂水給水口３Ｃ及び風呂水吐出口３Ｄを備え、駆動歯車７及び従動歯車８の回転によって、風呂水給水口３Ｃから歯車ポンプケーシング３内に風呂水を給水させると共に、風呂水吐出口３Ｄから歯車ポンプケーシング３内に給水された風呂水を吐出させる風呂水給水装置及びその風呂水給水装置を有する洗濯機により、えられる。【選択図】      図２
2004215937.tif 000002
【特許請求の範囲】
【請求項１】
モータケーシングと、このモータケーシングの一端面に離脱可能に、かつ、水密的に取り付けられた歯車ポンプケーシングと、前記モータケーシングに収納されたモータと、前記モータケーシングの他端面に離脱可能に取り付けられた蓋体と、前記モータの蓋体側端面に設置した端子部材と、前記歯車ポンプケーシングに収納され、かつ、前記モータの回転軸を回転させると回転する駆動歯車と、この駆動歯車に噛合いその駆動歯車を回転させると回転する従動歯車と、前記歯車ポンプケーシングに設けた風呂水給水口と、前記歯車ポンプケーシングに設けた風呂水吐出口を具備し、前記駆動歯車及び前記従動歯車の回転によって、前記風呂水給水口から前記歯車ポンプケーシング内に風呂水を給水させるとともに、前記風呂水吐出口から前記歯車ポンプケーシング内に給水された風呂水を吐出させることを特徴とする風呂水給水装置。
【請求項２】
前記モータケーシングは、そのモータケーシングに収納されたモータの回転軸の軸方向に横長の形状とし、かつ、前記歯車ポンプケーシングは、前記回転軸の軸方向に対して直角方向に横長の形状とするとともに、前記歯車ポンプケーシングの上面側に前記風呂水給水口を、かつ、前記歯車ポンプケーシングの下面側に前記風呂水吐出口をそれぞれ配置したことを特徴とする請求項１記載の風呂水給水装置。
【請求項３】
前記モータの回転軸の回転軸心と前記駆動歯車の回転軸心と前記従動歯車の回転軸心が平行となるように、歯車ポンプケーシングの歯車収納部内に、前記駆動歯車及び前記従動歯車を配置したことを特徴とする請求項２記載の風呂水給水装置。
【請求項４】
外枠と、この外枠内に収納された洗濯槽と、この洗濯槽内に水道水を直接給水するための給水電磁弁と、この給水電磁弁から流出してきた水道水を洗濯槽内に導く水道水案内部材と、風呂水を前記洗濯槽内に給水する風呂水給水装置とを少なくとも備え、前記外枠に設けたトップカバーに、前記給水電磁弁及び前記風呂水給水装置を配設した風呂水給水装置付き洗濯機において、
前記風呂水給水装置を、モータケーシングと、このモータケーシングの一端面に離脱可能に、かつ、水密的に取り付けられた歯車ポンプケーシングと、前記モータケーシングに収納されたモータと、前記モータケーシングの他端面に離脱可能に取り付けられた蓋体と、この蓋体と前記モータとの間に設置した端子部材と、前記歯車ポンプケーシングに収納され、かつ、前記モータの回転軸を回転させると回転する駆動歯車と、この駆動歯車に噛合いその駆動歯車を回転させると回転する従動歯車と、前記歯車ポンプケーシングに設けた風呂水給水口と、前記歯車ポンプケーシングに設けた風呂水吐出口とから構成することにより、前記駆動歯車及び前記従動歯車の回転によって、前記風呂水給水口から前記歯車ポンプケーシング内に風呂水を給水させ、かつ、前記風呂水吐出口から前記歯車ポンプケーシング内に給水された風呂水を前記洗濯槽内に吐出させてなることを特徴とする風呂水給水装置付き洗濯機。
【発明の詳細な説明】
【０００１】
【発明の属する技術分野】
本発明は、風呂水を所定の場所に給水する風呂水給水装置及び風呂水給水装置を具備してなる洗濯機に関するものである。
【０００２】
【従来の技術】
従来の風呂水給水装置としては、そのポンプと浴槽を連通する吸水ホース内の空気と呼び水をポンプランナー室内で攪拌して混合させた後、その混合させた呼び水及び空気をポンプランナー室外にて気水分離することで吸水ホース内の空気を排出させることにより、風呂水を洗濯槽内などの所定の場所に給水するようにしたものが知られている。そして、洗濯機としては、上記従来の風呂水給水装置を外枠のトップカバーの後側に設置するとともに、風呂水給水装置の呼び水を水道栓に連結された給水電磁弁からえることにより、風呂水を洗濯槽内に給水するようにしたものが知られている（例えば、特許文献１参照）
【０００３】
【特許文献１】
特開２０００−２８３０８２号
【０００４】
【発明が解決しようとする課題】
上記従来の風呂水給水装置は、呼び水口、吸込み室、ランナー室を形成する仕切板、気水分離室及び逆止弁などを必要とするものであり、複雑な構造であって部品点数も多く、生産性が悪かった。しかも、気水分離を効率よく行わせるためには、体積の大きい気水分離室が必要であり、風呂水給水装置のさらなる小形化が困難であった。
【０００５】
さらに、上記従来の風呂水給水装置付きの洗濯機は、水道水を洗濯槽内に直接給水するために水道栓に連結される給水電磁弁と、自吸式風呂水給水装置に水道水を呼び水として給水するためにその給水電磁弁を開いて水道水を風呂水給水装置のポンプケーシング内に呼び水として給水するための呼び水給水機構を設けていた。そして、その呼び水給水機構は、水道法規上、水道栓と風呂水給水装置を直接連結することが禁止されているため、ポンプケーシングに設けた呼び水口に連結した呼び水用可撓ホースと、給水電磁弁からの水道水の一部を呼び水用可撓ホースに導くための案内壁部材と、給水電磁弁からの水道水を案内壁部材に衝突させるための水道水案内用可撓ホースを必要としていた。したがって、上記従来の風呂水給水装置付きの洗濯機では、構造が複雑であって部品点数も多く、しかも、呼び水用可撓ホースとポンプケーシングに設けた呼び水口とを接着剤を用いて取り付けるため、生産性が悪かった。また、呼び水用可撓ホースを短くするためには、給水電磁弁に近接させた位置に風呂水給水装置を設置する必要があり、外枠のトップカバーの後側に風呂水給水装置を自由に配置することができなかった。
【０００６】
本発明の一つの目的は、上述した従来技術における実状からなされたもので、構造が簡単であって部品点数も少なく、小形化が容易な風呂水給水装置を提供することにある。
【０００７】
本発明の他の目的は、上述した従来技術における実状からなされたもので、構造が簡単であって部品点数も少なく、設計自由度が向上する生産性の優れた風呂水給水装置付きの洗濯機を提供することにある。
【０００８】
【課題を解決するための手段】
上記一つの目的を達成するために、本発明は、モータケーシングと、このモータケーシングの一端面に離脱可能に、かつ、水密的に取り付けられた歯車ポンプケーシングと、前記モータケーシングに収納されたモータと、前記モータケーシングの他端面に離脱可能に取り付けられた蓋体と、前記モータの蓋体側端面に設置した端子部材と、前記歯車ポンプケーシングに収納され、かつ、前記モータの回転軸を回転させると回転する駆動歯車と、この駆動歯車に噛合いその駆動歯車を回転させると回転する従動歯車と、前記歯車ポンプケーシングに設けた風呂水給水口と、前記歯車ポンプケーシングに設けた風呂水吐出口を具備し、前記駆動歯車及び前記従動歯車の回転によって、前記風呂水給水口から前記歯車ポンプケーシング内に風呂水を給水させるとともに、前記風呂水吐出口から前記歯車ポンプケーシング内に給水された風呂水を吐出させる構成にしてある。
【０００９】
かかる構成によれば、歯車ポンプケーシング内に駆動歯車と従動歯車を収納すればよく、呼び水口、吸込み室、ランナー室を形成する仕切板、気水分離室及び逆止弁が不要となるので、風呂水給水装置の小形化、構造の簡単化、部品点数の軽減化を図ることができる。
【００１０】
上記他の目的を達成するために、本発明は、外枠と、この外枠内に収納された洗濯槽と、この洗濯槽内に水道水を直接給水するための給水電磁弁と、この給水電磁弁から流出してきた水道水を洗濯槽内に導く水道水案内部材と、風呂水を前記洗濯槽内に給水する風呂水給水装置とを少なくとも備え、前記外枠に設けたトップカバーに、前記給水電磁弁及び前記風呂水給水装置を配設した洗濯機において、前記風呂水給水装置を、モータケーシングと、このモータケーシングの一端面に離脱可能に、かつ、水密的に取り付けられた歯車ポンプケーシングと、前記モータケーシングに収納されたモータと、前記モータケーシングの他端面に離脱可能に取り付けられた蓋体と、この蓋体と前記モータとの間に設置した端子部材と、前記歯車ポンプケーシングに収納され、かつ、前記モータの回転軸を回転させると回転する駆動歯車と、この駆動歯車に噛合いその駆動歯車を回転させると回転する従動歯車と、前記歯車ポンプケーシングに設けた風呂水給水口と、前記歯車ポンプケーシングに設けた風呂水吐出口とから構成することにより、前記駆動歯車及び前記従動歯車の回転によって、前記風呂水給水口から前記歯車ポンプケーシング内に風呂水を給水させ、かつ、前記風呂水吐出口から前記歯車ポンプケーシング内に給水された風呂水を前記洗濯槽内に吐出させるようにしたものである。
【００１１】
かかる構成によれば、水道水を風呂水給水装置の歯車ポンプケーシング内に呼び水として給水するための呼び水給水機構がなくても、風呂水を洗濯槽内に給水することができ、かつ、給水電磁弁とは無関係に、風呂水給水装置を外枠のトップカバーに配置することができるようになるので、構造の簡単化、部品点数の軽減化が図られ、しかも、外枠のトップカバーへの風呂水給水装置の配置に関する設計の自由度を向上させることが可能な風呂水給水装置付きの洗濯機を提案できる。
【００１２】
【発明の実施の形態】
以下、本発明の一実施例を、図１から図９に基づいて、説明する。図１から図９において、風呂水給水装置１は、成形性に優れたポリプロピレンなどの合成樹脂からなるモータケーシング２と、このモータケーシング２の一端面に離脱可能に、かつ、水密的に取り付けられて耐摩耗性に優れた合成樹脂からなる歯車ポンプケーシング３と、モータケーシング２の他端面に離脱可能に取り付けられたポリプロピレンなどの合成樹脂からなる蓋体４とを備えている。
【００１３】
モータケーシング２は、図２に示すように、モータ５が収納される円筒状のモータ収納部２Ａと、ウオータシール６が収納されるウオータシール収納部２Ｂと、モータケーシング２を歯車ポンプケーシング３に取り付けるためのモータケーシング取り付け用フランジ部２Ｃとからなっている。モータ収納部２Ａ、ウオータシール収納部２Ｂ及びモータケーシング取り付け用フランジ部２Ｃは、一体に成形される。モータケーシング取り付け用フランジ部２Ｃは、長方形状になっている。ウオータシール６は、金属を埋設したゴムなどの弾性部材からなっている。モータケーシング２のモータ収納部２Ａの左右側面２Ａ−１、２Ａ−２は、図５に示すように、平坦面としている。
【００１４】
歯車ポンプケーシング３は、駆動歯車７及び従動歯車８が収納される楕円筒状の歯車収納部３Ａと、歯車ポンプケーシング３をモータケーシング２に取り付けるための歯車ポンプケーシング取り付け用フランジ部３Ｂと、歯車収納部３Ａに設けた円筒状の風呂水給水口３Ｃと、歯車収納部３Ａに設けた円筒状の風呂水吐出口３Ｄとからなっている。歯車ポンプケーシング取り付け用フランジ部３Ｂは、モータケーシング取り付け用フランジ部２Ｃとほぼ同じ大きさの長方形状になっている。
【００１５】
歯車収納部３Ａ、歯車ポンプケーシング取り付け用フランジ部３Ｂ、風呂水給水口３Ｃ及び風呂水吐出口３Ｄは、一体成形される。風呂水給水口３Ｃの内径は、約２０ｍｍに、かつ、風呂水吐出口３Ｄの内径は、約１０ｍｍに、それぞれ設定されている。図１から図９の一実施例では、風呂水給水口３Ｃを歯車ポンプケーシング３の上面側に、かつ、風呂水吐出口３Ｄを歯車ポンプケーシング３の下面側に、それぞれ配置させて、風呂水給水口３Ｃと風呂水吐出口３Ｄを、駆動歯車７と従動歯車８の噛合い部分を挟んで対向させてある。
【００１６】
風呂水給水装置１の全体形状は、モータケーシング２のモータ収納部２Ａをモータ５の回転軸５Ａの軸方向に横長の形状とし、かつ、歯車ポンプケーシング３をモータ５の回転軸５Ａの軸方向に対して直角方向に横長の形状とすることで、略Ｌ字状としてある。
【００１７】
モータケーシング２のモータ収納部２Ａに収納されるモータ５は、整流子モータやブラシレスモータなどが採用されて、約５０００〜８５００回／分の回転数がえられるようにしてある。モータケーシング２の他端面側、すなわち、モータ収納部２Ａの開放端側に取り付けられた蓋体４は、モータ収納部２Ａに収納されるモータ５のスラスト方向（回転軸５Ａの軸方向）の移動防止機能を有し、かつ、その蓋体４に一体形成された弾性係止爪４Ａにより、モータ収納部２Ａの開放端側にワンタッチで脱着できるように、取り付けられている。モータ収納部２Ａの開放端側の外周には、弾性係止爪４Ａが係止する係止部材２Ｄが形成されている。蓋体４に２個の弾性係止爪４Ａを、かつ、モータケーシング２に２個の係止部材２Ｄを、図２や図３などに示すように、上下対称にそれぞれ設けられている。モータケーシング２のモータ収納部２Ａの下面側には、水抜き穴２Ｅが設けられている。モータケーシング２のモータ収納部２Ａの上面側には、蒸気抜き穴２Ｆが設けられている。
【００１８】
モータ５の蓋体側端面には、そのモータ５を電源等に電気接続するための端子部材９が設けられている。蓋体４の端縁には、端子部材９をモータケーシング２の外方に突出させるための端子用切り欠き４Ｂが左右対称に設けられている。これにより、端子部材９は、図５において、モータケーシング２の左側側面からも外方に突出させることができる。モータ５は、その回転軸５Ａをモータケーシング２のウオータシール収納部２Ｂ内を通り抜けて歯車ポンプケーシング３の歯車収納部３Ａ内に延在させ、その延在部分に駆動歯車７を直接固定するようにしてある。歯車ポンプケーシング３の歯車収納部３Ａ内には、回転軸５Ａに固定された駆動歯車７と、この駆動歯車７に噛合う従動歯車８と、この従動歯車８を回転自在に支持する固定心棒１０が設けられている。
【００１９】
駆動歯車７及び従動歯車８は、駆動歯車７の回転軸心となるモータ５の回転軸５Ａと従動歯車８の回転軸心となる固定心棒１０が平行となるように、歯車ポンプケーシング３の歯車収納部３Ａ内に配置されている。すなわち、モータ５の回転軸５Ａの回転軸心と駆動歯車７の回転軸心と従動歯車８の回転軸心が平行となるようにしてある。固定心棒１０は、歯車収納部３Ａの内壁とモータケーシング取り付け用フランジ部２Ｃの内壁を利用して取り付けられている。歯車ポンプケーシング３の歯車収納部３Ａ内に延在させたモータ５の回転軸５Ａには、モータケーシング２の側壁と駆動歯車７の隙間及び駆動歯車７と歯車収納部３Ａ内の側壁との隙間が一定に保持させるための駆動歯車用スラストワッシャ（間座）７Ａが設けられている。固定心棒１０には、モータケーシング２の側壁と従動歯車８の隙間及び従動歯車８と歯車収納部３Ａ内の側壁との隙間が一定に保持させるための従動歯車用スラストワッシャ（間座）８Ａが設けられている。
【００２０】
楕円筒状の歯車収納部３Ａの内壁と駆動歯車７の外周との間のクリアランス及び楕円筒状の歯車収納部３Ａの内壁と従動歯車８の外周との間のクリアランスは、０．０５ｍｍ程度に設定してある。駆動歯車７と従動歯車８は、耐磨耗性に優れた合成樹脂や硬質ゴムなどからなり、同じ大きさのものが用いられる。駆動歯車７及び従動歯車８は、歯数を１６に、最大歯先円直径を３１．５０５ｍｍに、最大歯底円直径を２３．６２５ｍｍに、最大厚さを１８．４２５ｍｍに、それぞれ設定されている。モータケーシング２と歯車ポンプケーシング３は、モータケーシング取り付け用フランジ部２Ｃと歯車ポンプケーシング取り付け用フランジ部３Ｂを４本のねじ１１で固定することにより、一体化させる。モータケーシング取り付け用フランジ部２Ｃと歯車ポンプケーシング取り付け用フランジ部３Ｂとの間には、その両者間の水密を保持するために、Ｏリングからなるシールパッキング１２が挟持されている。
【００２１】
風呂水給水口３Ｃの内周壁には、リング状段部３Ｅを設け、このリング状段部３Ｅにフイルター１３が脱着自在に取り付けられる。フイルター１３には、摘む部１３Ａが一体的に設けられている。風呂水給水口３Ｃの外周壁には、風呂水給水用可撓ホース（図示せず）を脱着可能に取り付けるための係止段部３Ｆと風呂水給水口３Ｃを所定の場所に支持するのに利用するための支持フランジ３Ｇが設けられている。風呂水吐出口３Ｄには、風呂水吐水用可撓ホース（図示せず）を脱着自在に取り付けることが可能である。蓋体４の裏面側には、モータ用防振パッキング１４が設けられている。
【００２２】
上記構成の風呂水給水装置１において、風呂水給水口３Ｃに取り付けた風呂水給水用可撓ホースの先端を浴槽の風呂水内に投入し、かつ、風呂水吐出口３Ｄに取り付けた風呂水吐水用可撓ホースを所定の場所にある水受け槽に投入した後、モータ５を正回転させると、モータ５の回転軸５Ａに連結された駆動歯車７が正回転し、かつ、その駆動歯車７に噛合っている従動歯車８が逆回転することで、風呂水給水口３Ｃから歯車ポンプケーシング３の歯車収納部３Ａ内に風呂水を給水させられるとともに、歯車ポンプケーシング３の歯車収納部３Ａ内に給水された風呂水が風呂水吐出口３Ｄから吐出させられ、風呂水吐水用可撓ホースを介して所定の場所にある水受け槽に給水される。
【００２３】
以上のように、風呂水給水装置１によれば、歯車ポンプケーシング３の歯車収納部３Ａ内に駆動歯車７及び従動歯車８を収納するだけの単純な構造であって、呼び水口、吸込み室、ランナー室を形成する仕切板、気水分離室及び逆止弁が不要であり、かつ、歯車収納部３Ａの大きさは駆動歯車７及び従動歯車８を収納するだけの大きさでよい。しかも、風呂水給水装置１によれば、呼び水を不要とするので、呼び水を風呂水給水装置１内に給水するための呼び水給水機構を設ける必要がない。したがって、風呂水給水装置１の小形化、構造の簡単化、部品点数の軽減化が、大幅に図られる。
【００２４】
さらに、上記風呂水給水装置１によれば、モータ５の回転軸５Ａの回転軸心と駆動歯車７の回転軸心と従動歯車８の回転軸心が平行となるように、歯車ポンプケーシング３の歯車収納部３Ａ内に、駆動歯車７及び従動歯車８を配置することで、歯車ポンプケーシング３の歯車収納部３Ａの厚さを薄くすることができ、しかも、モータ５の回転軸５Ａを歯車収納部３Ａ内に延在させ、その延在部分に駆動歯車７を直接固定するようにしたので、風呂水給水装置１におけるモータ５の回転軸５Ａの軸方向の全体寸法を小さくすることができる。
【００２５】
さらに、上記風呂水給水装置１によれば、モータケーシング２のモータ収納部２Ａをモータ５の回転軸５Ａの軸方向に横長の形状とし、かつ、歯車ポンプケーシング３をモータ５の回転軸５Ａの軸方向に対して直角方向に横長の形状とすることで、風呂水給水装置１の全体形状がほぼＬ字状となり、歯車ポンプケーシング３の従動歯車８が収納されている部分からモータケーシング２の長手方向に沿って延びる空間（デットスペース）が形成されるので、この空間（デットスペース）を利用して、モータケーシング２のモータ収納部２Ａから突出させた端子部材９とモータ５の電源等との電気接続作業を容易に行うことができ、便利である。また、従来の自吸式の風呂水給水装置では気水分離室内に流入した呼び水の水面が水平となるように設置する必要があり設置作業が面倒であるのに対して、上記風呂水給水装置１によれば、モータ５の回転軸５Ａの回転軸心並びに駆動歯車７及び従動歯車８の回転軸心が水平なるように設置しなくてもよく、すなわち、風呂水給水装置１を傾けて設置してもよく、設置作業が簡便となる。また、破損等により、駆動歯車７若しくは従動歯車８を新しいものに交換する必要性が生じた場合には、４本のねじ１１を取り除き、歯車ポンプケーシング取り付け用フランジ部３Ｂをモータケーシング取り付け用フランジ部２Ｃから取り外せば、図８に示すように、駆動歯車７及び従動歯車８が露出するので、駆動歯車７若しくは従動歯車８の交換作業を簡単に行うことができる。
【００２６】
図１０及び図１１は、本発明の他実施例その１を示す。図１０及び図１１において、図１から図９と同一符号は同一内容を表している。本発明の他実施例その１では、歯車ポンプケーシング３の側壁下部から円筒状の風呂水吐出口１５を歯車ポンプケーシング３の側壁前方に延在させるようにしたものである。風呂水給水装置１の設置場所から遠く離れた場所に水受け槽がある場合には、風呂水吐出口１５に吐出用可撓ホース１６を取り付けて、その吐出用可撓ホース１６を介して水受け槽に風呂水を給水するようにしてもよい。また、本発明の一実施例の風呂水吐出口３Ｄを、Ｌ字状円筒体とすることにより、歯車ポンプケーシング３の側壁前方に延在させるようにすることも可能である。
【００２７】
図１２は、本発明の他実施例その２を示す。図１２において、図１から図９と同一符号は同一内容を表している。本発明の他実施例その２は、モータケーシング２のモータ収納部２Ａの下面外方に延在するように取り付け部材１７を設け、その取り付け部材１７の長さを、風呂水吐出口３に取り付けた吐出用可撓ホース１６を潰すことなくモータ５の回転軸５Ａの軸方向に引き出すことができる長さに設定してある。また、本発明の他実施例その２では、駆動歯車７を取り付けた回転伝達心棒１８を、モータケーシング２のウオータシール収納部２Ｂ内に延在させて、その延在部分を径大円筒部１８Ａとし、その径大円筒部１８Ａ内に、モータケーシング２のウオータシール収納部２Ｂ内に延在させたモータ５の回転軸５Ａを挿入固定することにより、モータ５の回転軸５Ａに連結するようにしてある。また、本発明の他実施例その２において、モータケーシング２のモータ収納部２Ａの下面外方に延在するように設けた取り付け部材１７を、モータケーシング２の横長方向に対して直角方向に並設した一対の取り付け足とし、その一対の取り付け足間の間隙を、風呂水吐出口３に取り付けられる吐出用可撓ホース１６の外径よりも大きく設定するようにしてもよい。また、モータケーシング２の下面外方に延在するように設けた取り付け部材１７により、モータケーシング２及び前記歯車ポンプケーシング３を、作業台などの平面台１９に立てかけることができるようにしてもよい。
【００２８】
次に、上記一実施例の風呂水給水装置１を洗濯機に用いた一例を、図１３〜図１７に基づいて説明する。
【００２９】
図１３において、全自動洗濯機２０は、外枠２１と、この外枠２１内に収納された洗濯槽２２と、水道水を洗濯槽２２内に直接給水するための給水電磁弁２３と、この給水電磁弁２３から流出してきた水道水を洗濯槽２２内に導く水道水案内部材２４と、洗濯槽２２内の水を排出するための排水弁などからなる排出手段２５とを備えている。外枠２１の上面を覆う合成樹脂からなるトップカバー２６の後部に形成した収納凹部２６Ａには、図１４及び図１５に示すように、上記一実施例の風呂水給水装置１、給水電磁弁２３、イオンチェンジャー装置２７が配設されている。給水電磁弁２３の水道水流入口２３Ａには、水道栓に連結された水道水給水ホース（図示せず）が脱着自在に接続される。
【００３０】
イオンチェンジャー装置２７は、図１５に示すように、塩収納容器２７Ａとイオン交換樹脂収納容器２７Ｂとからなる。給水電磁弁２３からの水道水中の金属イオンやカルシュウムイオンなどは、イオン交換樹脂収納容器２７Ｂのイオン交換樹脂内を通して水道水案内部材２４に導くことにより、取り除かれるようにしてある。イオン交換樹脂収納容器２７Ｂで吸着された金属イオンやカルシュウムイオンなどは、塩収納容器２７Ａからの塩水を、イオン交換樹脂収納容器２７Ｂ内のイオン交換樹脂内を通過させた後、その塩水を洗濯槽２２に流入させることなく、外枠２１に排出させることにより、取り除かれるようにしてある。
【００３１】
水道水案内部材２４は、図１４及び図１５に示すように、主シャワー給水部２４Ａと柔軟仕上げ剤用シャワー給水部２４Ｂとからなる。給水電磁弁２３とイオン交換樹脂収納容器２７Ｂとは、主給水用第一接続管２８により連結されている。イオン交換樹脂収納容器２７Ｂと主シャワー給水部２４Ａとは、主給水用第二接続管２９により連結されている。給水電磁弁２３と柔軟仕上げ剤用シャワー給水部２４Ｂとは、柔軟仕上げ剤用接続管３０により連結されている。トップカバー２６の収納凹部２６Ａにおける主シャワー給水部２４Ａ及び柔軟仕上げ剤用シャワー給水部２４Ｂの下方に位置する部分には、給水開口２６Ｄが形成されている。この給水開口２６Ｄは、その給水開口２６Ｄから落下してきた水道水が必ず洗濯槽２２に直接落下するように、洗濯槽２２の水平投影面積内に位置している。トップカバー２６は、外枠２１の上端にトップカバー固定用ボルト３１を用いて固定される。トップカバー２６の後部に形成した収納凹部２６Ａの内底には、風呂水給水装置１を載置するための風呂水給水装置用載置台部２６Ｃが一体形成されている。トップカバー２６の後部に形成された収納凹部２６Ａの上面には、その収納凹部２６Ａ全体を覆う合成樹脂からなる収納カバー３２が固定されている。
【００３２】
風呂水給水装置用取り付け手段３３は、風呂水給水装置１を風呂水給水装置用載置台部２６Ｃに取り付けるためのものである。風呂水給水装置用第一防振パッキング３４は、風呂水給水装置用載置台部２６Ｃと歯車ポンプケーシング３の歯車収納部３Ａとの間に挟持される。風呂水給水装置用第二防振パッキング３５は、図１６に示すように、風呂水給水装置用載置台部２６Ｃとモータケーシング２の他端面に取り付けた蓋体４との間に挟持される。風呂水給水装置用第三防振パッキング３６は、支持フランジ３Ｇと収納カバー３２との間に挟持される。風呂水給水装置１が風呂水給水装置用載置台部２６Ｃに取り付けられた状態では、歯車ポンプケーシング３の風呂水吐出口３Ｄから落下した風呂水が、トップカバー２６の収納凹部２６Ａに形成した風呂水用落下開口２６Ｅから、風呂水吐水用可撓ホースなしに、洗濯槽２２内に直接落下するようにしてある。風呂水給水装置１は、図１４に示すように、トップカバー２６の収納凹部２６Ａの長手方向と風呂水給水装置１の長手方向が一致するように、風呂水給水装置用載置台部２６Ｃに配置されている。
【００３３】
風呂水給水装置用取り付け手段３３は、図１７に示すように、略逆Ｕ字状の合成樹脂からなる取り付けバンド３３Ａと、トップカバー２６の収納凹部２６Ａの内底に形成した一対の取り付け係合脚３３Ｂとからなっている。取り付けバンド３３Ａは、モータケーシング２におけるモータ収納部２Ａの左右側面２Ａ−１、２Ａ−２の平坦面にぴったり嵌るようにしてある。風呂水給水装置用載置台部２６Ｃ上に風呂水給水装置１を載置した後、その風呂水給水装置１のモータ収納部２Ａの上からそのモータ収納部２Ａの左右側面２Ａ−１、２Ａ−２に取り付けバンド３３Ａを圧入し、その後、取り付けバンド３３Ａの下端に形成させた凹部３３Ａ−１に、係合脚３３Ｂの先端に形成させた係合爪部３３Ｂ−１を係合させることにより、風呂水給水装置１が風呂水給水装置用載置台部２６Ｃ上に堅牢に固定される。風呂水給水装置１を風呂水給水装置用載置台部２６Ｃから外したい場合には、取り付けバンド３３Ａの下端を弾性変形させて、取り付けバンド３３Ａと係合脚３３Ｂとの係合を解除すれば、簡単に、風呂水給水装置１を風呂水給水装置用載置台部２６Ｃから取り除くことができる。
【００３４】
上記構成の全自動洗濯機２０を使用するには、始めに、給水電磁弁２３の水道水流入口２３Ａに水道栓に連結された水道水給水ホース（図示せず）を接続し、かつ、風呂水給水装置１の風呂水給水口３Ｃに風呂水給水ホース（図示せず）を接続する。次に、風呂水給水装置１を作動させて駆動歯車７及び従動歯車８を回転させると、風呂水給水ホース―風呂水給水口３Ｃ―歯車ポンプケーシング３の歯車収納部３Ａ内―風呂水吐出口３Ｄを経由して、トップカバー２６の風呂水用落下開口２６Ｅから洗濯槽２２内に風呂水が給水される。この場合、風呂水は、給水電磁弁２３を作動させなくとも、風呂水が洗濯槽２２内に給水される。
【００３５】
次に、水道水を洗濯槽２２内に給水するには、給水電磁弁２３を開くと、主給水用第一接続管２８―イオン交換樹脂収納容器２７Ｂ―主給水用第二接続管２９―主シャワー給水部２４Ａを経由して、トップカバー２６の収納凹部２６Ａの給水開口２６Ｄから洗濯槽２２内に水道水がシャワー状に給水される。柔軟仕上げ剤を使用する時は、給水電磁弁２３を開き、柔軟仕上げ剤用接続管３０により柔軟仕上げ剤用シャワー給水部２４Ｂに水道水を導き、その水道水で溶かした柔軟仕上げ剤を柔軟仕上げ剤用シャワー給水部２４Ｂより落下させてトップカバー２６の収納凹部２６Ａの給水開口２６Ｄから洗濯槽２２内に流下させる。この場合、水道水は、風呂水給水装置１を作動させなくとも、水道水が洗濯槽２２内に給水される。
【００３６】
次に、給水電磁弁２３と風呂水給水装置１を一緒に作動させると、水道水が主シャワー給水部２４Ａから洗濯槽２２内に、かつ、風呂水が風呂水吐出口３Ｄから洗濯槽２２内に、それぞれ別々に給水させることができる。
【００３７】
上記構成の全自動洗濯機２０では、風呂水吐水用可撓ホースや水道水案内用可撓ホースなどの呼び水給水機構なしに、風呂水を直接洗濯槽２２内に給水させることができ、構造が簡略化され、かつ、風呂水吐水用可撓ホースや水道水案内用可撓ホースなどの接着剤による取り付け作業を省くことができる。また、給水電磁弁２３を閉じておいても、風呂水を直接洗濯槽２２内に給水させることができるので、風呂水のみによる洗濯が可能である。
【００３８】
さらに、顧客の好みにより、風呂水吐出口３Ｄから洗濯槽２２内に風呂水を直接落下させずに、風呂水をシャワー状にして、洗濯槽２２内に給水させるようにしたい場合には、図１５に一点鎖線に示すように、シャワー用可撓ホース３８を、風呂水吐出口３Ｄと主シャワー給水部２４Ａに接続すればよい。
【００３９】
図１８〜図２０は、全自動洗濯機２０の変形例を示し、図１４〜図１６と同一符号は同一内容を表している。図１８〜図２０の変形例は、風呂水給水装置１を、トップカバー２６の収納凹部２６Ａの長手方向と直角する方向に、風呂水給水装置１の長手方向が、一致するように配置し、しかも、その配置が可能なように、図１４〜図１７の風呂水給水装置用載置台部２６Ｃに変えて、風呂水給水装置用載置台部３７が収納凹部２６Ａの内底に一体形成してある。この変形例によれば、歯車ポンプケーシング３の風呂水吐出口３Ｄを洗濯槽２２側に位置させることができるので、風呂水吐水用可撓ホースなしに、風呂水吐出口３Ｄから洗濯槽２２内に風呂水を直接落下させることが容易となる。
【００４０】
上記風呂水給水装置１によれば、トップカバー２６の後部に形成された収納凹部２６Ａの水平投影面積が従来の全自動洗濯機と同一であっても、その収納凹部２６Ａの長手方向と風呂水給水装置１の長手方向が一致する（図１４参照）ように、あるいは収納凹部２６Ａの長手方向に対して直角方向に風呂水給水装置１の長手方向が延びる（図１８参照）ように、その風呂水給水装置１を収納凹部２６Ａに設置することができるので、風呂水給水装置１の配置の自由度を向上させることを可能にする全自動洗濯機２０を出現させることができる。また、全自動洗濯機２０の高さが１ｍ以上であっても、その全自動洗濯機２０のトップカバー２６の収納凹部２６Ａに設置させた上記風呂水給水装置１により、風呂槽内の風呂水を洗濯槽２２内に給水することができることが、種々実験した結果、初めて確認できた。
【００４１】
以上のように、上記全自動洗濯機２０によれば、水道水を風呂水給水装置１の歯車ポンプケーシング３内に呼び水として給水するための呼び水給水機構がなくても、風呂水を洗濯槽２２内に給水することができ、かつ、給水電磁弁２３とは無関係に、風呂水給水装置１を外枠２１のトップカバー２６に配置することができるようになるので、構造の簡単化及び部品点数の軽減化並びに接着剤による部品の取り付け作業の軽減化を図ることができ、しかも、外枠２１のトップカバー２６への風呂水給水装置１の配置に関する設計の自由度を向上させることができる。なお、上記説明の風呂水給水装置１を用いた洗濯機例は、全自動洗濯機２０であるが、これに限定されるものではない。上記風呂水給水装置１を、二槽式洗濯機や洗濯乾燥機等に用いることが可能である。
【００４２】
【発明の効果】
本願の請求項１〜３に係る発明によれば、呼び水口、吸込み室、ランナー室を形成する仕切板、気水分離室及び逆止弁が不要となるので、構造が簡単であって部品点数も少なく、小形化が容易な風呂水給水装置がえられる。
【００４３】
本願の請求項４に係る発明によれば、呼び水給水機構が不要となり、給水電磁弁とは無関係に、風呂水給水装置を外枠のトップカバーに配置することができるので、構造が簡単であって部品点数も少なく、設計自由度が向上する生産性に優れた風呂水給水装置付きの洗濯機がえられる。
【図面の簡単な説明】
【図１】本発明の一実施例を示す、風呂水給水装置の、一部を破断してなる正面図である。
【図２】図１のＡ―Ａ断面図である。
【図３】図１の矢印Ｐ１視図である。
【図４】図１のＢ―Ｂ断面図である。
【図５】図３の矢印Ｐ２視図である。
【図６】図３の矢印Ｐ３視図である。
【図７】本発明の一実施例を示す、風呂水給水装置の外観全体斜視図である。
【図８】本発明の一実施例を示す、歯車ポンプケーシングを取り外した状態における風呂水給水装置の外観斜視図である。
【図９】本発明の一実施例を示す、歯車ポンプケーシングの要部を破断した状態における風呂水給水装置の外観斜視図である。
【図１０】本発明の他実施例その１を示す、風呂水給水装置の正面図である。
【図１１】本発明の他実施例その１を示す、風呂水給水装置の側面図である。
【図１２】本発明の他実施例その２を示す、風呂水給水装置の要部縦断面図である。
【図１３】本発明の風呂水給水装置を採用した洗濯機の外観全体斜視図である。
【図１４】本発明の風呂水給水装置を採用した洗濯機の一実施例を示し、収納カバーを取り除いた状態のトップカバーにおける収納凹部部分の上面図である。
【図１５】本発明の風呂水給水装置を採用した洗濯機の一実施例を示し、収納カバーを取り除いた状態のトップカバーにおける収納凹部部分の要部縦断面図である。
【図１６】本発明の風呂水給水装置を採用した洗濯機の一実施例を示し、収納カバーを取り付けた状態のトップカバーにおける収納凹部部分の風呂水給水装置用載置台部部分の要部縦断面図である。
【図１７】本発明の風呂水給水装置を採用した洗濯機の一実施例を示し、風呂水給水装置用取り付け手段と風呂水給水装置用載置台部の関係を説明する斜視図である。
【図１８】本発明の風呂水給水装置を採用した洗濯機の他実施例を示し、収納カバーを取り除いた状態のトップカバーにおける収納凹部部分の上面図である。
【図１９】本発明の風呂水給水装置を採用した洗濯機の他実施例を示し、収納カバーを取り除いた状態のトップカバーにおける収納凹部部分の要部縦断面図である。
【図２０】本発明の風呂水給水装置を採用した洗濯機の他実施例を示し、収納カバーを取り付けた状態のトップカバーにおける収納凹部の風呂水給水装置用載置台部部分の要部縦断面図である。
【符号の説明】
１          風呂水給水装置
２          モータケーシング
２Ａ        モータ収納部
２Ａ−１    モータ収納部の左側面
２Ａ−２    モータ収納部の右側面
２Ｂ        ウオータシール収納部
２Ｃ        モータケーシング取り付け用フランジ部
２Ｄ        係止部材
２Ｅ        水抜き穴
２Ｆ        蒸気抜き穴
３          歯車ポンプケーシング
３Ａ        歯車収納部
３Ｂ        歯車ポンプケーシング取り付け用フランジ部
３Ｃ        風呂水給水口
３Ｄ        風呂水吐出口
３Ｅ        リング状段部
３Ｆ        係止段部
３Ｇ        支持フランジ
４          蓋体
４Ａ        弾性係止爪
４Ｂ        端子用切り欠き
５          モータ
５Ａ        回転軸
６          ウオータシール
７          駆動歯車
７Ａ        駆動歯車用スラストワッシャ
８          従動歯車
８Ａ        従動歯車用スラストワッシャ
９          端子部材
１０        固定心棒
１１        ねじ
１２        シールパッキング
１３        フイルター
１３Ａ      摘む部
１４        モータ用防振パッキング
１５        風呂水吐出口
１６        吐出用可撓ホース
１７        取り付け部材
１８        回転伝達心棒
１８Ａ      径大円筒部
１９        平面台
２０        全自動洗濯機
２１        外枠
２２        洗濯槽
２３        給水電磁弁
２３Ａ      水道水流入口
２４        水道水案内部材
２４Ａ      主シャワー給水部
２４Ｂ      柔軟仕上げ剤用シャワー給水部
２５        排出手段
２６        トップカバー
２６Ａ      収納凹部
２６Ｂ      トップカバー用水抜き穴
２６Ｃ      風呂水給水装置用載置台部
２６Ｄ      給水開口
２６Ｅ      風呂水用落下開口
２７        イオンチェンジャー装置
２７Ａ      塩収納容器
２７Ｂ      イオン交換樹脂収納容器
２８        主給水用第一接続管
２９        主給水用第二接続管
３０        柔軟仕上げ剤用接続管
３１        トップカバー固定用ボルト
３２        収納カバー
３３        風呂水給水装置用取り付け手段
３３Ａ      取り付けバンド
３３Ａ−１  取り付けバンドの凹部
３３Ｂ      取り付け係合脚
３３Ｂ−１  取り付け係合脚の係合爪部
３４        風呂水給水装置用第一防振パッキング
３５        風呂水給水装置用第二防振パッキング
３６        風呂水給水装置用第三防振パッキング
３７        風呂水給水装置用載置台部
３８        シャワー用可撓ホース
【図１】
2004215937.tif 000003
【図２】
2004215937.tif 000004
【図３】
2004215937.tif 000005
【図４】
2004215937.tif 000006
【図５】
2004215937.tif 000007
【図６】
2004215937.tif 000008
【図７】
2004215937.tif 000009
【図８】
2004215937.tif 000010
【図９】
2004215937.tif 000011
【図１０】
2004215937.tif 000012
【図１１】
2004215937.tif 000013
【図１２】
2004215937.tif 000014
【図１３】
2004215937.tif 000015
【図１４】
2004215937.tif 000016
【図１５】
2004215937.tif 000017
【図１６】
2004215937.tif 000018
【図１７】
2004215937.tif 000019
【図１８】
2004215937.tif 000020
【図１９】
2004215937.tif 000021
【図２０】
2004215937.tif 000022